(57)【要約】【解決手段】建造物の片流れ屋根Ａの頂付近から屋根の傾斜面に沿って軒方向側に延びる通気経路Ｃと排出口８ｄとを有する換気棟Ｂを、取付台３と頂部支持台４とにより片流れ屋根Ａに取り付ける。【効果】換気棟Ｂを片流れ屋根Ａに安定して、かつ強固に取り付けることができる。換気棟Ｂが片流れ屋根Ａの立ち上がり部１ａ上に配置される場合であっても、立ち上がり部１ａ以外の屋根材を伝って軒方向から雨水が流入するのを防止できる。換気棟Ｂの左右両側に笠木１３を介して片流れ棟Ｅ、Ｅを取り付ける。この場合には、換気棟Ｂによる通風を確保できるのみならず、換気棟Ｂの左右両側の片流れ屋根Ａ部分を両片流れ棟Ｅ、Ｅにより雨水から保護することができる。【選択図】図６
2010248819.tif 000002
【特許請求の範囲】
【請求項１】
建造物の片流れ屋根の頂付近から屋根の傾斜面に沿って軒方向側に延びる通気経路と排出口とを有する換気棟を、取付台と頂部支持台とにより片流れ屋根に取り付けたことを特徴とする片流れ屋根の換気棟取付構造。
【請求項２】
頂部支持台は片流れ屋根の頂付近の野地板上に取り付けることを特徴とする請求項１記載の片流れ屋根の換気棟取付構造。
【請求項３】
取付台と片流れ屋根の屋根材との突合せ部分及びこの突合せ部分から前記屋根材の上面の一部に跨って、逆Ｌ字状に折曲した水切り板を取り付けたことを特徴とする請求項１又は２記載の片流れ屋根の換気棟取付構造。
【請求項４】
換気棟の軒方向側の排出口外側に、防風雨板が配置されていることを特徴とする請求項１記載の片流れ屋根の換気棟取付構造。
【請求項５】
片流れ屋根の屋根材が金属屋根であることを特徴とする請求項１、２又は３のいずれかに記載の片流れ屋根の換気棟取付構造。
【請求項６】
片流れ屋根に取り付けられている換気棟の左右両側に、片流れ棟を取り付けたことを特徴とする請求項１又は４記載の片流れ屋根の換気棟取付構造。
【請求項７】
片流れ屋根とこの片流れ屋根に突き合わせるように配置される外壁パネルとの突合せ部分を、換気棟と片流れ棟のそれぞれの棟覆い板で覆うことを特徴とする請求項１、２、３、５又は６のいずれかに記載の片流れ屋根の換気棟取付構造。
【発明の詳細な説明】
【技術分野】
【０００１】
本発明は、片側にのみ傾斜する片流れ屋根の野地板の開口部分を上方から覆うように取り付けられる換気棟の取付構造に関する。特に、片流れ屋根の屋根材のうち当該屋根材が金属屋根であって、傾斜勾配が比較的低いものに最適なものに関する。
【背景技術】
【０００２】
従来、片側にのみ傾斜する片流れ屋根の野地板の開口部分を上方から覆うように換気棟が取り付けられる。
【０００３】
このような換気棟は、通常、片流れ屋根の頂付近の垂直部分を覆う垂直板に連続して、その頂部分から片流れ屋根の傾斜面に沿って軒方向側に傾斜する上板と、この上板の裏側（下側）に所定の間隔を置いて配置される下板とで構成され、野地板の開口部分と連通する前記上板と下板との間の通路を通風経路とするのが一般的である（例えば、特許文献１参照）。
【先行技術文献】
【特許文献】
【０００４】
【特許文献１】特開２００１−３０３７３２号公報
【発明の概要】
【発明が解決しようとする課題】
【０００５】
特許文献１に記載の先行技術は、金属屋根に取り付けることを考慮していない。すなわち、金属屋根は、特に金属屋根を縦葺きに施工した場合、屋根の流れ方向に一定間隔で凸状となる立ち上がり部が形成されるため、換気棟を屋根材の上に取り付けるだけでは立ち上がり部以外の屋根材表面から雨水などが流入してしまう。
【０００６】
一方、金属屋根は通常勾配が低くなるように設定される場合が多く、低勾配であると通常の屋根材よりも金属屋根表面からの雨水の流入が増加するところ、かかる雨水の流入を防止する必要がある。
【０００７】
そこで、前記立ち上がり部が形成される金属屋根にも取り付けることができ、金属屋根表面からの雨水の流入を適切に防止できる換気棟の取付構造の開発が強く望まれている。
【課題を解決するための手段】
【０００８】
この目的を達成するために、本発明による片流れ屋根の換気棟取付構造は、建造物の片流れ屋根の頂付近から屋根の傾斜面に沿って軒方向側に延びる通気経路と排出口とを有する換気棟を、取付台と頂部支持台とにより片流れ屋根に取り付けたことを特徴とするものである。
建造物の片流れ屋根の頂付近から片流れ屋根の傾斜面に沿って軒方向側に延びる通気経路と排出口とを有する換気棟を片流れ屋根に取り付けることにより、換気棟を片流れ屋根に安定して、かつ強固に取り付けることができる。そして、換気棟が片流れ屋根の立ち上がり部上に配置される場合であっても、立ち上がり部以外の屋根材を伝って軒方向から雨水が流入するのを防止できる。
【０００９】
頂部支持台は片流れ屋根の頂付近の野地板上に取り付けることが好ましい。このようにした場合には、換気棟の頂付近をこの頂部支持台で支持することができる。
【００１０】
取付台と片流れ屋根の屋根材との突合せ部分及びこの突合せ部分から前記屋根材の上面の一部に跨って、逆Ｌ字状に折曲した水切り板を取り付けることが好ましい。このようにした場合には、軒方向からの雨水が取付台と片流れ屋根の屋根材との突合せ部分から流入するのを防止することができる。
【００１１】
換気棟の軒方向側の排出口外側に、防風雨板を配置することが好ましい。このようにした場合には、換気棟の軒方向から排出口に雨水が流入するのを防止することができる。
【００１２】
片流れ屋根の屋根材を金属屋根とすることができる。換気棟が片流れ屋根の立ち上がり部上に配置される場合には、前記立ち上がり部の存在により、軒方向から雨水が流入しやすく、さらに、片流れ屋根の屋根材が金属屋根である場合には、傾斜角度が小さくて傾斜がより緩やかであるので、軒方向から雨水がより流入しやすい。したがって、いずれの場合においても、軒方向からの雨水の流入を防止する必要があるが、本発明による片流れ屋根の換気棟取付構造によれば、前記雨水の流入を十分に防止することができる。
【００１３】
換気棟の左右両側に片流れ棟を取り付けるのが好ましい。このようにした場合には、換気棟の左右両側を片流れ棟で覆うことができるので、換気棟による通風を確保できるのみならず、両片流れ棟により換気棟の左右両側の片流れ屋根を雨水から保護することができる。
【００１４】
片流れ屋根とこの片流れ屋根に突き合わせるように配置される外壁パネルとの突合せ部分を、換気棟と片流れ棟のそれぞれの棟覆い板で覆うことが好ましい。このようにした場合には、片流れ屋根と外壁パネルとの突合せ部分から雨水が片流れ屋根の屋根裏に侵入することがない。
【発明の効果】
【００１５】
請求項１記載の発明によれば、換気棟を片流れ屋根に安定して、かつ強固に取り付けることができる。そして、換気棟が片流れ屋根の立ち上がり部上に配置される場合であっても、立ち上がり部以外の屋根材を伝って軒方向から雨水が流入するのを防止することができる。
【００１６】
請求項２記載の発明によれば、換気棟の頂付近をこの頂部支持台で支持することができるので、積雪量の多い地域でも換気棟が変形するおそれがない。
【００１７】
請求項３記載の発明によれば、軒方向からの雨水が取付台と片流れ屋根の屋根材との突合せ部分から流入するのを防止することができる。
【００１８】
請求項４記載の発明によれば、換気棟の軒方向から排出口に雨水が流入するのを防止することができる。
【００１９】
請求項５記載の発明によれば、換気棟が片流れ屋根の立ち上がり部上に配置される場合であっても、さらに、片流れ屋根の屋根材が金属屋根である場合であっても、軒方向からの雨水の流入を十分に防止することができる。
【００２０】
請求項６記載の発明によれば、換気棟による通風を確保できるのみならず、両片流れ棟により換気棟の左右両側の片流れ屋根を雨水から保護することができる。
【００２１】
請求項７記載の発明によれば、片流れ屋根と外壁パネルとの突合せ部分から雨水が片流れ屋根の屋根裏に侵入することがない。
【図面の簡単な説明】
【００２２】
【図１】片流れ屋根の屋根材を金属屋根とし、それを縦葺きした場合に、本発明を適用した場合の一例を示す拡大断面図である。
【図２】片流れ屋根の換気棟のみの分解斜視図である。
【図３】片流れ屋根の換気棟の施工の様子を示す斜視図で、開口を形成した野地板の頂部分に取付台と頂部支持台とを取り付け、取付台の流れ側の下面と野地板の上面とにわたってルーフィング材を貼った後、縦平葺きの屋根材である金属屋根を取付台の流れ下面に突き当たるまで葺き上げるとともに、水切り板を取り付けた状態を示す斜視図である。
【図４】片流れ屋根の換気棟の施工の様子を示す斜視図で、換気棟を野地板の開口の中心に合わせてネジで固定する様子を示す斜視図である。
【図５】しかる後、換気棟の左右両側である取付台上に、換気棟の正面開口部に合わせて笠木を固定した状態を示す斜視図である。
【図６】図５の状態から、換気棟の左右両側に片流れ棟を被せ、ネジで固定した施工完了後の状態を示す斜視図である。
【発明を実施するための形態】
【００２３】
本発明による片流れ屋根の換気棟取付構造の一例を、図面に基いて詳細に説明する。ここには、片側にのみ傾斜する片流れ屋根における縦葺きの屋根材、特に、それを金属屋根とした場合に本発明を適用したときの一例を示すが、瓦屋根の場合にも使用することができる。
縦葺きの金属屋根とは、通常、図１、図３〜図６に示すように、片流れ屋根Ａの流れ方向に屋根材１を八千代折りと呼ばれる立ち上げ方で立ち上げる葺き方をした屋根のことであり、一定の間隔で片流れ屋根Ａの流れ方向に立ち上がり部１ａ、１ａが形成されることになる。
【００２４】
このような立ち上がり部１ａ、１ａが形成されていると、その上に換気棟Ｂを単に設置しただけでは、前記立ち上がり部１ａ、１ａ間の屋根材１表面から雨水などが流入してしまう。片流れ屋根Ａにおけるこの侵入を防止するべく、本発明においては、片流れ屋根Ａの換気棟取付構造に工夫を凝らしたものである。
【００２５】
片流れ屋根Ａは、通常、片側にのみ傾斜する野地板２を有しており、片流れ屋根Ａの頂付近の野地板２には、図１に示すように、開口部２ａが形成されている。この開口部２ａを挟んで野地板２の上面には、釘やネジなどの固定具により、前記開口部２ａより流れ側の位置に取付台３を、また、野地板２の頂部分の端面に頂部支持台４の図１、図３における右端面を合わせて頂部支持台４をそれぞれ固定する。
なお、ここでは、図１における取付台３の右端面が前記開口部２ａの流れ側の下面と一致するように取付台３を取り付けた場合を例示するが、片流れ屋根Ａに取り付ける換気棟Ｂの勾配が順次大きくなるのに応じて、取付台３を前記頂部支持台４に徐々に近づけて取り付ける。
【００２６】
しかる後、図３に示すように、取付台３の流れ側の下面と野地板２の上面とにわたってルーフィング材５を貼りめぐらせ、その上から縦平葺きの屋根材１である金属屋根を取付台３の流れ側の下面に突き当たるまで葺き上げるとともに、その間に逆Ｌ字状に折曲した水切り板６を取り付ける。すると、前記取付台３の流れ側の下面と縦平葺きの屋根材１である金属屋根との突合せ部分に、逆Ｌ字状に折曲されている水切り板６の１つの面が挿入せしめられるとともに、この突合せ部分から前記屋根材１の上面の一部に跨って、逆Ｌ字状に折曲されている水切り板６の他の面が片流れ屋根Ａの流れ側に延び出すことになる。
したがって、軒方向からの雨水が取付台３と片流れ屋根Ａの屋根材１との突合せ部分から流入するのを防止することができる。
【００２７】
次に、前記野地板２の開口部２ａの中心に合わせてその上方から前記開口部２ａを覆うように換気棟Ｂを被せる。ここに例示する換気棟Ｂは、図２に詳示するように、前記取付台３に載置して固定され得る下板７と、この下板７の上方をほぼ覆うことができる上板８と、上下両板８、７間に位置して両者間に一定の間隔を保持させ得る邪魔板９とからなっており、これらを図１に示すように、前記野地板２の開口部２ａの上方において互いに組み合わせ、スペーサ１０を介してネジ１１を前記取付台３から野地板２に達するまでねじ込んで固定することができる。かくして、下板７、上板８および邪魔板９とからなる換気棟Ｂを、片流れ屋根Ａに安定して、かつ強固に取り付けることができる。
【００２８】
前記下板７は、前記取付台３に載置される本体７ａと、この本体７ａから片流れ屋根Ａの流れ方向とは逆方向の斜め上方に延び出る誘導板７ｂと、この誘導板７ｂに続いて片流れ屋根Ａの流れ方向に延び出る案内板７ｃとを有している。したがって、上述したように換気棟Ｂを前記取付台３に固定すると、前記誘導板７ｂと前記案内板７ｃとにより、下板７と上板８との間の通路ｃ（図１）に前記開口部２ａからの空気が誘導される。
また、前記本体７ａの片流れ屋根Ａの流れ方向の端縁には、上方へ立ち上がる暴風雨板７ｄが形成されている。
【００２９】
また、前記上板８は、前記野地板２の開口部２ａの上方を広く覆う本体８ａと、この本体８ａの片流れ屋根Ａの流れ方向とは逆方向の端縁から下方へ延び出る棟覆い板８ｂと、前記本体８ａの片流れ屋根Ａの流れ方向の端縁から側面Ｌ字状に折曲された遮蔽板８ｃとを有している。そして、この遮蔽板８ｃには、幅方向に一定の間隔をおいて多数の排気口８ｄ、８ｄが形成されている。
【００３０】
一方、前記邪魔板９は、前記上板８の裏面（下面）と前記下板７の上面に交互に当接する３枚の当て板９ａ、９ｂ、９ｃと、各当て板９ａ、９ｂ、９ｃ間に位置する２枚の仕切板９ｄ、９ｅと、前記当て板９ｃの片流れ屋根Ａの流れ方向の端縁から下方へ延び出る遮蔽板９ｆとを有している。そして、隣接する前記２枚の仕切板９ｄ、９ｅには、高さ方向において交互となる位置に、幅方向に一定の間隔をおいて多数の通気口９ｇ、９ｇが形成されている。
【００３１】
したがって、前記下板７、前記上板８および前記邪魔板９からなる換気棟Ｂが片流れ屋根Ａの立ち上がり部上に配置される場合であっても、立ち上がり部以外の屋根材を伝って軒方向から雨水が流入するのを防止できる。そして、前記通路ｃに誘導された空気は前記多数の通気口９ｇ、９ｇを通って片流れ屋根Ａの流れ方向に向って移動し、前記邪魔板９の遮蔽板９ｆと前記下板７との間、さらには、前記邪魔板９の遮蔽板９ｆと前記上板８の側面Ｌ字状の遮蔽板８ｃとの間を通って前記多数の排気口８ｄ、８ｄから片流れ屋根Ａの外部へと流れ出るので、片流れ屋根Ａの屋根裏の換気を確実に行うことができる。
【００３２】
一方、前記多数の排気口８ｄ、８ｄの外側には、前記下板７の上方へ立ち上がる暴風雨板７ｄが位置することになるので、片流れ屋根Ａの換気棟Ｂの軒方向から前記多数の排出口８ｄ、８ｄに雨水が流入するのを防止することができる。
【００３３】
なお、換気棟Ｂの頂部分は片流れ屋根Ａの頂付近の野地板２上に取り付けられている前記頂部支持台４で支持される。したがって、積雪量の多い地域でも換気棟Ｂが変形するおそれがない。
【００３４】
一方、片流れ屋根Ａと外壁パネルＤとの突合せ部分においては、その外側を前記上板８の棟覆い板８ｂが覆っているので、前記突合せ部分から雨水が片流れ屋根Ａの屋根裏に侵入することがない。そして、前記棟覆い板８ｂの下端は内側に折り曲げてあり、外壁パネルＤとの間からも雨水が浸入するのを防止し得るようにしてある。なお、前記棟覆い板８ｂの下部はネジ１２により外壁パネルＤに固定してある。
【００３５】
前記野地板２の開口部２ａの上方を覆うように換気棟Ｂを被せた後、換気棟Ｂの左右両側に笠木１３、１３を、図５に示すように、換気棟Ｂの正面側の排出口８ｄの面に合わせて固定する。そして、片流れ屋根Ａに固定した換気棟Ｂの左右両端にコーキング剤を塗って防水処理を施した後、この換気棟Ｂの両端に重なるように図５に示す左右２枚の片流れ棟Ｅ、Ｅを被せる。その際、同図においてｅ”で示すように、左右２枚の片流れ棟Ｅ、Ｅの裾部分ｅ’の内側のコーナーを切り込んでおく。
【００３６】
そして、片流れ屋根Ａに固定した換気棟Ｂの両側に配置されている左右２枚の片流れ棟Ｅ、Ｅを、換気棟Ｂの場合と同様にネジ（図示省略）を前記笠木１３、１３から前記頂部支持台４および前記野地板２に達するまでねじ込んで固定するとともに、前記外壁パネルＤ側においても左右２枚の片流れ棟Ｅ、Ｅの棟覆い板ｅ、ｅを、換気棟Ｂにおける棟覆い板８ｂの場合と同様にネジ（図示省略）で固定する。
【００３７】
かくして、屋根材１が張り巡らされた片流れ屋根Ａの前記開口部２ａの上方とその左右両側を、換気棟Ｂと左右２枚の片流れ棟Ｅ、Ｅとで覆うことができる。この場合には、上述したように、片流れ屋根Ａの屋根裏の換気を確実に行うことができる。また、換気棟Ｂの通風を確保できるのみならず、両片流れ棟Ｅ、Ｅにより換気棟Ｂの左右両側の片流れ屋根Ａを雨水から保護することができる。さらに、前記外壁パネルＤ側においても、換気棟Ｂの棟覆い板８ｂと左右２枚の片流れ棟Ｅ、Ｅの棟覆い板ｅ、ｅが配置されているので、片流れ屋根Ａと外壁パネルＤとの突合せ部分から雨水が片流れ屋根Ａの屋根裏に侵入することがない。
【００３８】
なお、図３〜６図に示すように、片流れ屋根Ａの野地板２の下面には、一定の間隔を置いて片流れ屋根Ａの流れ方向に沿う垂木１４、１４が複数本配置されている。
【産業上の利用可能性】
【００３９】
ここでは、片流れ屋根Ａに張り巡らされている屋根材１に立ち上がり部１ａが形成されている場合を例に挙げて、本発明の換気棟取付構造の一例を説明したが、前記立ち上がり部１ａが形成されていない金属屋根であって通常勾配が低くなるように設定されている片流れ屋根にも、本発明の換気棟取付構造を適用することができる。
【符号の説明】
【００４０】
１…屋根材、１ａ…立ち上がり部、２…野地板、２ａ…開口部、３…取付台、４…頂部支持台、６…水切り板、７…下板、７ｄ…暴風雨板、８…上板、８ｂ…棟覆い板、８ｄ…排出口、９…邪魔板、９ｇ…通気口、１３…笠木、Ａ…片流れ屋根、Ｂ…換気棟、Ｃ…通気経路、ｃ…通路、Ｄ…外壁パネル、Ｅ…片流れ棟、ｅ…棟覆い板。
【図１】
2010248819.tif 000003
【図２】
2010248819.tif 000004
【図３】
2010248819.tif 000005
【図４】
2010248819.tif 000006
【図５】
2010248819.tif 000007
【図６】
2010248819.tif 000008